(57)【要約】【課題】内蔵ドライブの増設にも、外観上良好に、しかも机上の設置スペースを拡大することなく、さらには買い替えを要することなく、対応可能な技術を提供する。【解決手段】下面部１１ａに取付構造部５８を有するパソコンケース１１。ドライブベイ７７を有するとともに上面側の開口部７０にパソコンケース１１に取り付け可能な取付構造部８６を有する拡張ケース１２。これらを取り付けたパーソナルコンピュータ１３。【選択図】図５
2007280109.tif 000002
【特許請求の範囲】
【請求項１】
上面部及び下面部のうちの少なくともいずれか一方に、別のケースを取り付け可能な取付構造部を有するパソコンケース。
【請求項２】
前記取付構造部を有する上面部及び下面部のうちの少なくともいずれか一方に、内部配線を挿通可能な開口部を有する請求項１に記載のパソコンケース。
【請求項３】
増設機器を装着可能なマウント部を有するとともに、上面部及び下面部のうちの少なくともいずれか一方に、パソコンケースに取り付け可能な取付構造部を有する拡張ケース。
【請求項４】
前記取付構造部を有する上面部及び下面部のうちの少なくともいずれか一方に、内部配線を挿通可能な開口部を有する請求項３に記載の拡張ケース。
【請求項５】
前記マウント部を支持又は構成する左右一対のフレームと、これらフレーム間に介装される補強ブラケットとを有する請求項３又は４に記載の拡張ケース。
【請求項６】
前記取付構造部の少なくとも一部をなす左右一対のフレームと、これらフレーム間に介装される補強ブラケットとを有する請求項３又は４に記載の拡張ケース。
【請求項７】
前記マウント部は、ドライブベイである請求項３から６のいずれかに記載の拡張ケース。
【請求項８】
請求項１又は２に記載のパソコンケースの上面部及び下面部のうちの少なくともいずれか一方に、請求項３から７のいずれかに記載の拡張ケースを取り付けてなるパーソナルコンピュータ。
【発明の詳細な説明】
【技術分野】
【０００１】
本発明は、パソコンケース、拡張ケース及びパーソナルコンピュータに関する。
【背景技術】
【０００２】
机上等に設置されるデスクトップ型のパーソナルコンピュータは、主として液晶ディスプレイ等の表示装置と、キーボード及びマウス等の入力装置とが接続されて使用される。このようなデスクトップ型のパーソナルコンピュータには、これを机上等に立てた状態で設置する比較的大型のタワー型と呼ばれるものがある。
【０００３】
このタワー型のパーソナルコンピュータは、内蔵ドライブ等を取り付け可能なドライブベイが他のタイプのデスクトップ型のパーソナルコンピュータに比して多く設けられており、より多くの内蔵ドライブを取り付け可能となっている（例えば、特許文献１参照）。
【特許文献１】特開２００４−５６９１号公報
【発明の開示】
【発明が解決しようとする課題】
【０００４】
しかしながら、磁気ディスクドライブ、ＣＤ−ＲＯＭドライブ、ＤＶＤ−ＲＯＭドライブ、ハードディスクドライブ等、内蔵ドライブの種類は増加する一方であり、また、ハードディスクドライブの増設等もあって、上記のようなタワー型のパーソナルコンピュータであってもドライブベイの数が不足する場合があった。
【０００５】
このようにドライブベイが不足すると、外付けのドライブを取り付けることになり外観上好ましくない上、机上の設置スペースを拡大してしまうという問題や、例えばミドルタワー型からフルタワー型への買い替えを余儀なくされるという問題があった。
【０００６】
本発明は、かかる事情に鑑みてなされたものであり、内蔵ドライブ等の増設が必要な場合にも、外観上良好に、しかも机上の設置スペースを拡大することなく、さらには買い替えを要することもなく、対応可能なパソコンケース、拡張ケース及びパーソナルコンピュータを提供することを目的とする。
【課題を解決するための手段】
【０００７】
前記目的を達成するため、本発明に係るパソコンケースは、上面部及び下面部のうちの少なくともいずれか一方に、別のケースを取り付け可能な取付構造部を有する。
【０００８】
この構成によれば、上面部及び下面部のうちの少なくともいずれか一方に設けられた取付構造部を介して別のケースを取り付けると共に、この別のケースに設けられた例えばドライブベイに内蔵ドライブ等の増設機器を取り付けることにより、外観上良好に、しかも机上の設置スペースを拡大することなく、さらには買い替えを要することもなく、内蔵ドライブ等の増設機器の増設に対応可能となる。
【０００９】
この場合、前記取付構造部を有する上面部及び下面部のうちの少なくともいずれか一方に、内部配線を挿通可能な開口部を有する構成でもよい。
【００１０】
また、本発明に係る拡張ケースは、増設機器を装着可能なマウント部を有するとともに、上面部及び下面部のうちの少なくともいずれか一方に、パソコンケースに取り付け可能な取付構造部を有する。
【００１１】
この構成によれば、上面部及び下面部のうちの少なくともいずれか一方に設けられた取付構造部を介してパソコンケースに取り付けられると共に、マウント部（例えばドライブベイ）に増設機器（例えば内蔵ドライブや電源装置）が取り付けられることにより、外観上良好に、しかも机上の設置スペースを拡大することなく、さらにはパソコンケースを買い替えることなく、増設機器の増設に対応可能となる。
【００１２】
この場合、前記取付構造部を有する上面部及び下面部のうちの少なくともいずれか一方に、内部配線を挿通可能な開口部を有する構成でもよい。
【００１３】
前記マウント部を支持又は構成する左右一対のフレームと、これらフレーム間に介装される補強ブラケットとを有する構成でもよい。あるいは、前記取付構造部の少なくとも一部をなす左右一対のフレームと、これらフレーム間に介装される補強ブラケットとを有する構成でもよい。
【００１４】
前記マウント部は、例えばドライブベイであってもよい。
【００１５】
本発明に係るパーソナルコンピュータは、上記構成のいずれかからなるパソコンケースの上面部及び下面部のうちの少なくともいずれか一方に、上記構成のいずれかからなる拡張ケースを取り付けてなる。
【００１６】
この構成によれば、パソコンケースの上面部及び下面部のうちの少なくともいずれか一方に、内蔵ドライブ等の増設機器をマウント部に備えた拡張ケースを取り付けることができるので、外観を損なうことなく、また机上の設置スペースを拡大することなく、さらにはパソコンケースの買い替えを要することなく、内蔵ドライブ等の増設機器の増設に対応可能となる。
【発明の効果】
【００１７】
本発明によれば、外観上良好に、しかも机上の設置スペースを拡大することなく、さらには買い替えを要することなく、内蔵ドライブ等の増設機器の増設に対応することが可能となる。
【発明を実施するための最良の形態】
【００１８】
次に、本発明に係るパソコンケース、拡張ケース及びパーソナルコンピュータの一実施形態について、図面を参照しつつ説明する。なお、以下の説明における前後は使用者側を「前」、使用者とは反対側を「後」とし、また、左右は使用者から見ての左右とする。
【００１９】
本実施形態においては、図示略の液晶ディスプレイ等の表示装置と図示略のキーボード及びマウス等の入力装置とが接続されることにより使用可能な図１に示すパソコンケース１１に、必要に応じて拡張ケース１２が取り付けられるものである。なお、説明の便宜上、パソコンケース１１に拡張ケース１２を取り付けたものをパーソナルコンピュータ１３と称す。
【００２０】
まず、パソコンケース１１について説明する。
【００２１】
パソコンケース１１は、図２に示すように、その外殻を構成するケース本体１５が、机上に平行に設置される略長方形板状の金属製の下板部材１６と、この下板部材１６の左右方向の一側の縁部に連結されるとともにこの縁部から上方に延出する側板部１７及びこの側板部１７の上縁部から下板部材１６と平行をなすように延出する上板部１８からなる金属製の上板側板部材１９と、下板部材１６の前面側（使用者側）の前縁部及び上板側板部材１９の前縁部に連結される金属製の前板部材２０と、下板部材１６の後縁部及び上板側板部材１９の後縁部に連結される金属製の後板部材２１とを有する主ケース２２を有しており、また、この主ケース２２の側部の開口部２３を閉塞する着脱容易な側部カバー２４を有している。ここで、前板部材２０の表面にはアルミ等の金属製または合成樹脂製の前面板２５が取り付けられている。
【００２２】
ケース本体１５には、やや後板部材２１側に寄ってマザーボード３０が配置されており、マザーボード３０の上側に電源装置３１が配置されている。また、前板部材２０側の中間部から上部にかけて、例えばＣＤ−ＲＯＭドライブ、ＤＶＤ−ＲＯＭドライブ、ハードディスクドライブ等の５．２５インチサイズ（以下、単に「５インチサイズ」という。）の内蔵ドライブ３３を取り付け可能なドライブベイ３４を上下方向に複数段有する左右一対のフレーム部材３５，３５が配置されている（図示例では上下六段のドライブベイ３４に内蔵ドライブ３３がそれぞれ取り付けられた状態を示す）。
【００２３】
内蔵ドライブ３３には、それぞれ電源装置３１からの電源ケーブル３７とマザーボード３０からの信号ケーブル３８とが接続されている。なお、前面板２５には、各ドライブベイ３４に取り付けられた内蔵ドライブ３３を前面に露出させるための開口部４０が形成されている。
【００２４】
さらに、ケース本体１５の前板部材２０側の下部には例えば磁気ディスクドライブ等の３．５インチサイズの内蔵ドライブ４３を取り付け可能なドライブベイ４４を上下方向に複数段有するドライブ保持フレーム４５が配置されている（図示例では上下三段のドライブベイ４４に内蔵ドライブ４３がそれぞれ取り付けられた状態を示す）。これら内蔵ドライブ４３にも、それぞれ電源装置３１からの電源ケーブル４７とマザーボード３０からの信号ケーブル４８とが接続されている。
【００２５】
なお、前面板２５には、各ドライブベイ４４に取り付けられた内蔵ドライブ４３に対応する位置に吸気用の孔５０が多数形成されている。また、内蔵ドライブ４３は、５インチ用の上記ドライブベイ３４のいずれかに取り付けることもできる。
【００２６】
そして、下板部材１６には、図３に示すように、中間所定範囲に板厚方向に貫通する開口部５２が形成されており、この開口部５２の四隅の外側にそれぞれネジ穴５３が形成されている。開口部５２には、これを閉塞する閉塞板５４が、その四隅に形成された図示略のネジ挿通穴を通されてネジ穴５３に螺合されるネジ５５により着脱容易に取り付けられている。
【００２７】
また、下板部材１６の全体の四隅の内側と、前後方向の中間位置であって開口部５２の左右両側とにも合計六カ所のネジ穴５７が形成されている。ここで、六カ所のネジ穴５７のうち左右方向一側の縁部に近い三カ所のネジ穴５７は、この縁部と平行な直線上に形成されており、左右方向逆側の縁部に近い三カ所のネジ穴５７も、この縁部と平行な直線上に形成されている。ここで、下板部材１６の下面で構成されるパソコンケース１１の下面部１１ａとこれに形成されたこれらのネジ穴５７とが、後述する拡張ケース１２を取り付けるための取付構造部５８を構成している。
【００２８】
さらに、下板部材１６の前端縁部の内側には前板部材２０を取り付けるためのネジ穴５９が三カ所等間隔で形成されており、後端縁部の内側にも後板部材２１を取り付けるためのネジ穴６０が三カ所等間隔で形成されている。
【００２９】
次に、拡張ケース１２について説明する。
【００３０】
拡張ケース１２は、図４に示すように、机上に平行に設置される略長方形板状の金属製の下板部材６５と、この下板部材６５の左右方向の両側の縁部にそれぞれ連結されるとともに各縁部から上方に延出する金属製の一対の側板部材６６，６６と、下板部材６５の前縁部及び両側板部材６６の前縁部に連結される金属製の前板部材６７と、下板部材６５の後縁部及び両側板部材６６の後縁部に連結される金属製の後板部材６８とを有し、上部が開口（以下、開口部７０）している箱型の主ケース６９を有している。ここで、図４に示すように、前板部材６７の表面には、アルミ等の金属製または合成樹脂製の前面板７３が取り付けられている。
【００３１】
主ケース６９の内部には、側板部材６６に平行な一対のフレーム７５，７５が、例えばパソコンケース１１の下面部１１ａに取り付けられる拡張ケース１２の場合には、前板部材６７の上部と後板部材６８の上部との間を橋渡すように設けられており、また、例えばパソコンケース１１の上面部に取り付けられる拡張ケース１２の場合には、下板部材６５に立設されている。
【００３２】
パソコンケース１１の下面部１１ａに取り付けられる拡張ケース１２の場合には、下板部材６５に固定された台座７８を介して、ドライブベイ（マウント部）７７が上下方向に複数段設けられている。図示例では、上下二段のドライブベイ７７に内蔵ドライブ（増設機器）７６がそれぞれ取り付けられた状態を示す。ドライブベイ７７は、台座７８上を図４の紙面手前方向にスライドできるようになっている。
【００３３】
他方、パソコンケース１１の上面部に取り付けられる拡張ケース１２の場合には、これらフレーム７５，７５に、例えば５インチサイズの内蔵ドライブ（増設機器）７６を装着可能なドライブベイ（マウント部）７７が上下方向に複数段設けられている。
【００３４】
なお、前面板７３には、パソコンケース１１の下面部１１ａに取り付けられる拡張ケース１２の場合には、各ドライブベイ７７に取り付けられた内蔵ドライブ７６に対応する位置に吸気用の孔７９が多数形成されている。他方、パソコンケース１１の上面部に取り付けられる拡張ケース１２の場合には、これらの孔７９に代えて、内蔵ドライブ７６を前面に露出させるための開口部が形成されている。
【００３５】
上記したドライブベイ７７を構成する左右一対のフレーム７５，７５には、上部かつ前後方向の中間位置に、これらの間に介装されるように補強ブラケット８１が取り付けられている。
【００３６】
図４に示すように、一対のフレーム７５，７５には、四隅の内側と前後方向の中間位置であって左右両側とに合計六カ所のネジ挿通穴８４が形成されている。これら六カ所のネジ挿通穴８４は、パソコンケース１１の図３に示す下面部１１ａの六カ所のネジ穴５７と位置を合わせている。一対のフレーム７５，７５とこれらに形成されたネジ挿通穴８４とが、上記したパソコンケース１１への取り付け用の取付構造部８６を構成している。
【００３７】
そして、上記したパソコンケース１１は、勿論そのままでも使用可能であるが、図５に示すようにドライブベイ３４がすべて内蔵ドライブ３３で埋められて、さらに内蔵ドライブ７６を増設したい場合に、上記した拡張ケース１２が取り付け可能である。つまり、パソコンケース１１の下面部１１ａに図３に示すようにネジ５５で取り付けられて開口部５２を閉塞していた閉塞板５４をネジ５５とともに取り外し、開口部５２を開口させた状態で、拡張ケース１２のフレーム７５，７５をパソコンケース１１の下面部１１ａに外から合わせる。
【００３８】
すると、パソコンケース１１の下面部１１ａと共に取付構造部５８を構成する六カ所のネジ穴５７と、拡張ケース１２のフレーム７５，７５と共に取付構造部８６を構成する六カ所のネジ挿通穴８４とが位置を合わせることになり、この状態で六本の図５に示すネジ８８をそれぞれネジ挿通穴８４に挿通させてネジ穴５７に螺合させることで、パソコンケース１１の下面部１１ａに、拡張ケース１２のフレーム７５，７５が一体的に取り付けられる。
【００３９】
このようにして、パソコンケース１１に拡張ケース１２が取り付けられて構成されるパーソナルコンピュータ１３は、前面板２５，７３同士が表面を面一とし、後板部材２１，６８同士が表面を面一とし、上板側板部材１９の左右方向一側の側板部１７と同じく左右方向一側の側板部材６６とが表面を面一とし、左右方向逆側の側部カバー２４と同じく左右方向逆側の側板部材６６とが表面を面一とすることになって外観上も一体化される。
【００４０】
また、パーソナルコンピュータ１３は、パソコンケース１１の下板部材１６の開口部５２と拡張ケース１２の開口部７０とが連通しており、その結果、パソコンケース１１及び拡張ケース１２が内部同士を連通させている。よって、これら開口部５２，７０を通して、パソコンケース１１の電源装置３１からの電源ケーブル（内部配線）９０とマザーボード３０からの信号ケーブル（内部配線）９１とが拡張ケース１２側に挿通され、拡張ケース１２の内蔵ドライブ７６にそれぞれ接続されることになる。
【００４１】
以上に述べた本実施形態によれば、パソコンケース１１の下面部１１ａに取付構造部５８を設けるとともに、拡張ケース１２の上面側の開口部７０に取付構造部８６を設けて、これら取付構造部５８，８６同士をネジ８８で接合させることで、パソコンケース１１に拡張ケース１２を着脱可能に取り付けたパーソナルコンピュータ１３とすることができる。
【００４２】
そして、その拡張ケース１２に内蔵ドライブ７６を取り付けることで、外観を損なうことなく、また机上の設置スペースを拡大することなく、さらにはパソコンケース１１の買い替えを要することなく、内蔵ドライブ７６の増設に対応可能となる。
【００４３】
また、パソコンケース１１の取付構造部５８を有する下面部１１ａに電源ケーブル９０及び信号ケーブル９１を挿通可能な開口部５２を形成し、拡張ケース１２の取付構造部８６を有する開口部７０にも電源ケーブル９０及び信号ケーブル９１が挿通可能になっているため、これら開口部５２，７０を介してパソコンケース１１側の電源ケーブル９０及び信号ケーブル９１を拡張ケース１２側の内蔵ドライブ７６に内部で接続できる。したがって、ＵＳＢ等の外部ケーブルで接続する場合と比べて外観がさらに向上するとともに転送速度をも向上できる。
【００４４】
加えて、拡張ケース１２においては、ドライブベイ７７を構成する左右一対のフレーム７５，７５間に介装される補強ブラケット８１を有するため、左右一対のフレーム７５，７５を補強できる。このような補強は、拡張ケース１２をパソコンケース１１の下側に取り付ける場合に特に有効である。なお、左右一対のフレーム７５，７５が別部材からなるドライブベイを支持する場合であっても同様の補強ブラケット８１を設けるのが好ましい。
【００４５】
なお、以上の実施形態においては、パソコンケース１１の下面部１１ａに拡張ケース１２を取り付け可能な取付構造部５８を設け、拡張ケース１２の上面側の開口部７０にパソコンケース１１に取り付け可能な取付構造部８６を設けて、パソコンケース１１の下面部１１ａに拡張ケース１２のフレーム７５，７５を取り付けてパーソナルコンピュータ１３を構成する場合を例にとり説明したが、図示は略すが、パソコンケースの上面部に拡張ケースを取り付け可能な取付構造部を設け、拡張ケースの下面部にパソコンケースに取り付け可能な取付構造部を設けて、パソコンケースの上面部に拡張ケースの下面部を取り付けてパーソナルコンピュータを構成しても良い。
【００４６】
さらには、パソコンケースの上面部及び下面部に拡張ケースを取り付け可能な取付構造部をそれぞれ設けるとともに、上面部にパソコンケースに取り付け可能な取付構造部が設けられた下部拡張ケースと下面部にパソコンケースに取り付け可能な取付構造部が設けられた上部拡張ケースとを用意して、パソコンケースの上面部に上部拡張ケースの下面部を取り付け、パソコンケースの下面部に下部拡張ケースの上面部を取り付けてパーソナルコンピュータを構成しても良い。
【００４７】
上記いずれの場合も、パソコンケースは、拡張ケースを取り付けるための取付構造部を有する上面部及び下面部のうちの少なくともいずれか一方に電源ケーブル及び信号ケーブルを挿通可能な開口部を形成することになり、拡張ケースもパソコンケースへの取り付けのための取付構造部を有する上面部及び下面部のうちの少なくともいずれか一方に、電源ケーブル及び信号ケーブルを挿通可能な開口部を有することになる。
【００４８】
さらに、上記いずれの場合も、拡張ケースを複数段重ねて取り付け可能に構成しても良い。
【図面の簡単な説明】
【００４９】
【図１】本発明に係るパソコンケース、拡張ケース及びパーソナルコンピュータの一実施形態を示す斜視図（Ａ）及び分解斜視図（Ｂ）である。
【図２】本発明に係るパソコンケースの一実施形態を透過状態で示す正面側構成の正面図（Ａ）、側面図（Ｂ）及び背面側構成の背面図（Ｃ）である。
【図３】本発明に係るパソコンケースの一実施形態の下板部材を示す平面図である。
【図４】本発明に係る拡張ケースの一実施形態を透過状態で示す平面図（Ａ）及び側面図（Ｂ）である。
【図５】本発明に係るパーソナルコンピュータの一実施形態を透過状態で示す側面図である。
【符号の説明】
【００５０】
１１…パソコンケース、１１ａ…下面部、１２…拡張ケース（ケース）、１３…パーソナルコンピュータ、２３…開口部、５８…取付構造部、７５…フレーム、７６…内蔵ドライブ（増設機器）、７７…ドライブベイ（マウント部）、８１…補強ブラケット、７０…開口部、８６…取付構造部、９０…電源ケーブル（内部配線）、９１…信号ケーブル（内部配線）。
【図１】
2007280109.tif 000003
【図２】
2007280109.tif 000004
【図３】
2007280109.tif 000005
【図４】
2007280109.tif 000006
【図５】
2007280109.tif 000007